(57)【要約】      （修正有）【課題】頭部の締付等の不快を感じることなく長時間の使用ができるフェイスシールドの提供。【解決手段】フェイスシールド１は、ＰＥＴ素材のシート材により湾曲面に形成されたフェイスシールド本体１０とヘッドバンド部２０とにより構成し、平面略Ｕ字形状に形成された帯状のヘッドバンド部２０は、後頭部を囲むＵ字部の帯面を水平面とし、側頭部に沿った直線部２１Ｌ、２１Ｒの帯面を垂直面としてフェイスシールド本体１０の上端部の左右に長手方向の取り付け位置を調節可能に取り付ける。フェイスシールド本体１０は、本体面部１１の上端に庇部１５を設け、さらに庇部１５の後縁１５ａから下方に使用者の額に当接する額当接板部１６を設ける。【選択図】図１
0003227824.tif 000002
【実用新案登録請求の範囲】
【請求項１】
弾性変形可能な透明樹脂シート製のフェイスシールド本体と、
頭部の回りに装着され、前記フェイスシールド本体に取り付けられて前記フェイスシールド本体を顔面の前方に保持する弾性変形可能な透明樹脂シート製の略Ｕ字形状に形成された帯状のヘッドバンド部と、を備え、
前記フェイスシールド本体は、左右方向の中央部が前方に向けて突出する湾曲面をなす平面略矩形形状の本体面部と、前記本体面部の上端から後方に延びる庇部と、前記庇部の後端から下方に向けて延び、使用者の額に当接する額当接板部とを有し、
前記ヘッドバンド部は、帯面が上下方向と垂直な面に向いている後頭部を囲むＵ字部と、前記Ｕ字部の左右両端からそれぞれ前方に向け延びていて帯面が左右方向と垂直な面に向いている側頭部に沿った左右の直線部とを有し、
前記左右の直線部の両前端部と前記本体面部の左右上端部にそれぞれ形成した取り付け部により長手方向の取り付け位置を調節可能に取り付けて前記ヘッドバンド部を前記フェイスシールド本体に取り付けることを特徴とするフェイスシールド。
【請求項２】
請求項１に記載のフェイスシールドにおいて、
前記フェイスシールド本体は、前記本体面部に対して前記庇部が折曲可能に一体的に形成され、前記庇部に対して前記額当接部が折曲可能に一体的に形成されていることを特徴とするフェイスシールド。
【請求項３】
請求項１または２に記載のフェイスシールドにおいて、
前記フェイスシールド本体は予め左右方向の中央部が前方に向けて突出する湾曲面をなしていることを特徴とするフェイスシールド。
【請求項４】
請求項１から３のいずれかに記載のフェイスシールドにおいて、
前記ヘッドバンド部は、前後方向の全長が前記フェイスシールド本体の長手方向全長と略同じ長さであることを特徴とするフェイスシールド。
【請求項５】
請求項１から４のいずれかに記載のフェイスシールドにおいて、
前記本体面部の左右上端部にそれぞれ形成した取り付け部は、前後方向に隔設して形成されたスリットの間に形成した挿通部とし、前記ヘッドバンド部の左右の直線部に形成した取り付け部は、前記挿通部に差し込まれて前記スリットに係合する係合爪を前後方向に所定ピッチで複数備えた差し込み係合部とすることを特徴とするフェイスシールド。
【請求項６】
請求項２に記載のフェイスシールドにおけるフェイスシールド本体を展開した形態とした未使用のフェイスシールド本体と、請求項４または５に記載のフェイスシールドにおける未使用のヘッドバンド部とを上下に重ね合わせた組み合わせを１セットとしたことを特徴とするフェイスシールドセット。
【請求項７】
請求項６に記載のフェイスシールドセットにおいて、
前記１セットの組み合わせをなす重ね合わせされたフェイスシールド本体と前記ヘッドベルトとを袋詰めしたことを特徴とするフェイスシールドセット。
【考案の詳細な説明】
【技術分野】
【０００１】
本考案は、唾、唾液、咳等、分泌物等の湿性生体物質の飛沫が飛散する場合に、それに含まれる病原体による曝露から目、鼻、口の粘膜を保護するフェイスシールドの技術に関する。
【背景技術】
【０００２】
フェイスシールドは、ポリエチレンテレフタレート（ＰＥＴ）等の可撓性を有する透明な樹脂製薄板で顔の前面を覆うフェイスシールド本体部と、フェイスシールド本体部の上部に取り付けられ、頭部に装着されるヘッドバンド部とにより構成される（非特許文献１）。ヘッドバンド部としては、例えば樹脂材により平面略Ｃ型のフレーム形状に形成され、頭部に若干の弾性力で挟持される挟持タイプ、額にフィットする厚みを有する湾曲した厚みを有する樹脂製の前面当接部の両端にゴムバンドを固定したゴムバンド併用タイプ等が提案されている。
【０００３】
挟持タイプのヘッドバンド部は、額側から前方に向かう方向の厚みにより、フェイスシールド本体部と顔との間に所定の空間を形成し、鼻や目などにフェイスシールド本体部の内面が接触しないようにしている。またゴムバンド併用タイプのヘッドバンド部は、前面当接部の曲率よりもフェイスシールド本体部の曲率を大きくしてフェイスシールド本体部と顔との間に所定の空間を形成している。
【先行技術文献】
【非特許文献】
【０００４】
【非特許文献１】フェイスシールドの作り方・動画まとめ２０２０（フェイスガードの作り方）、［令和２年４月２６日インターネット検索］、インターネット＜URL：https://camp.isaax.io/ja/tips-ja/how-to-make-faceshield＞
【考案の概要】
【考案が解決しようとする課題】
【０００５】
ところで、フェイスシールドは、フェイスシールド本体部とヘッドバンド部は使用時に組み付ける構成とし、ストック状態ではフェイスシールド本体部とヘッドバンド部を一セットとして袋などに収納されて保管される。またフェイスシールドは使い捨てを前提としており、一人の使用者が一日に複数セットを消費することも多い。このため、多数セットのフェイスシールドを事前に保管する必要が生じるが、従来のフェイスシールドは、フェイスシールド本体部の板厚が薄くてもヘッドバンド部の部材が厚みを有するため、どうしても嵩張ってしまい、多数セットを保管するには大きなスペースが必要となる。さらには、定型サイズの封筒等に多数セットを収納できれば、配達費用の低減化だけでなく多数セットのフェイスシールドをストックするスペースの省スペース化が図れる。
【０００６】
また、挟持タイプやゴムバンド併用タイプのヘッドバンド部は、どうしても頭部を締め付けるため、長時間の使用では頭部が痛くなる。
【０００７】
本考案の目的は、頭部の締付等の不快を感じることなく長時間の使用ができるフェイスシールドを提供することにある。
【０００８】
本考案の他の目的は、保管状態で嵩張らず、収納が容易なフェイスシールドセットを提供することにある。
【課題を解決するための手段】
【０００９】
本考案の目的を実現するフェイスシールドの第１の構成は、弾性変形可能な透明樹脂シート製のフェイスシールド本体と、頭部の回りに装着され、前記フェイスシールド本体に取り付けられて前記フェイスシールド本体を顔面の前方に保持する弾性変形可能な透明樹脂シート製の略Ｕ字形状に形成された帯状のヘッドバンド部と、を備え、前記フェイスシールド本体は、左右方向の中央部が前方に向けて突出する湾曲面をなす平面略矩形形状の本体面部と、前記本体面部の上端から後方に延びる庇部と、前記庇部の後端から下方に向けて延び、使用者の額に当接する額当接板部と、を有し、前記ヘッドバンド部は、帯面が上下方向と垂直な面に向いている後頭部を囲むＵ字部と、前記Ｕ字部の左右両端からそれぞれ前方に向け延びていて帯面が左右方向と垂直な面に向いている側頭部に沿った左右の直線部とを有し、前記左右の直線部の両前端部と前記本体面部の左右上端部にそれぞれ形成した取り付け部により長手方向の取り付け位置を調節可能に取り付けて前記ヘッドバンド部を前記フェイスシールド本体に取り付けるようにしている。
【００１０】
本考案の目的を実現するフェイスシールドの第２の構成は、上記した第１の構成において、前記フェイスシールド本体は、前記本体面部に対して前記庇部が折曲可能に一体的に形成され、前記庇部に対して前記額当接部が折曲可能に一体的に形成された構成とすることができる。
【００１１】
本考案の目的を実現するフェイスシールドの第３の構成は、上記した第２構成において、前記フェイスシールド本体は予め左右方向の中央部が前方に向けて突出する湾曲面をなした構成とすることができる。
【００１２】
本考案の目的を実現するフェイスシールドの第４の構成は、上記した第１の構成において、前記ヘッドバンド部は、前後方向の全長が前記フェイスシールド本体の長手方向全長と略同じ長さとすることができる。
【００１３】
本考案の目的を実現するフェイスシールドの第５の構成は、上記した第１の構成において、前記本体面部の左右上端部にそれぞれ形成した取り付け部は、前後方向に隔設して形成されたスリットの間に形成した挿通部とし、前記ヘッドバンド部の左右の直線部に形成した取り付け部は、前記挿通部に差し込まれて前記スリットに係合する係合爪を前後方向に所定ピッチで複数備えた差し込み係合部とすることができる。
【００１４】
本考案の他の目的を実現するフェイスシールドセットの第１の構成は、上記した第２の構成のフェイスシールドにおけるフェイスシールド本体を展開した形態とした未使用のフェイスシールド本体と、上記した第４の構成のフェイスシールドにおける未使用のヘッドバンド部とを上下に重ね合わせた組み合わせを１セットとするようにしている。
【００１５】
本考案の他の目的を実現するフェイスシールドセットの第２の構成は、上記した第１の構成のフェイスシールドセットにおいて、前記１セットの組み合わせをなす重ね合わせされたフェイスシールド本体と前記ヘッドベルトとを袋詰めした構成とすることができる。
【考案の効果】
【００１６】
請求項１に係る考案によれば、ヘッドバンド部を頭部に装着すると、フェイスシールド本体がずり落ちることなくしっかりと頭部に保持され、しかも頭部に強い挟持圧が加わらないため、疲れなく長時間の使用が可能となる。
【００１７】
請求項２に係る考案によれば、フェイスシールド本体を一体形成できるため、軽量化できると共に、コストダウン、製造時間の低減化を図ることができる。
【００１８】
請求項３に係る考案によれば、予め湾曲していることにより、フェイスシールド本体の弾性復元力に抗してフェイスシールド本体を曲げる力が少なくて済み、また弾性復元力が弱いので、フェイスシールド本体のみならず、ヘッドベルトの先端部側が外側に余分に開くことがない。
【００１９】
請求項４に係る考案によれば、フェイスシールド本体とヘッドバンド部を同じ寸法のシート材から例えば打ち抜きで形成することができ、コストダウンを図ることができる。
【００２０】
請求項５に係る考案によれば、簡単で確実にヘッドバンド部にフェイスシールド本体を取り付けることができる。
【００２１】
請求項６に係る考案によれば、嵩高とならないため、一か所に多数セットのフェイスシールドセットを狭いスペースに保管することができ、また多数セットを注文等しても配送費用が安価で済む。
【００２２】
請求項７に係る考案によれば、衛生的にフェイスシールドセットを保管することができる。
【図面の簡単な説明】
【００２３】
【図１】本考案によるフェイスシールドの実施形態を示す外観斜視図。
【図２】（ａ）は図１に示すヘッドバンド部の上面図、（ｂ）は（ａ）に示すヘッドバンド部の正面図、（ｃ）は図１に示すフェイスシールド本体部の上面図、（ｄ）は（ｃ）に示すフェイスシールド本体部の正面図である。
【図３】図１に示すフェイスシールドの左側面図である。
【図４】図１に示すヘッドバンド部とフェイスシールド本体部をロール状のＰＥＴシートから型抜きで製造する概略図で、（ａ）は正面図、（ｂ）は上面図である。
【図５】図１に示すヘッドバンド部とフェイスシールド本体部を１セットとして重ねた状態のフェイスシールドセットを示す図で、（ａ）は上面図、（ｂ）は正面図である。
【考案を実施するための形態】
【００２４】
以下、本考案を図面に示す実施形態に基づいて説明する。
【００２５】
図１〜図３を参照してフェイスシールド１の構成を説明する。図１に示すように、使用者Ｐの頭部Ｈにフェイスシールド１が装着される。フェイスシールド１は、唾、唾液、咳等、分泌物等の湿性生体物質の飛沫が飛散する場合に、それに含まれる病原体による曝露から目、鼻、口の粘膜を保護する。フェイスシールド１は、顔の前面を覆うと共に額にあてがわれるフェイスシールド本体１０と、フェイスシールド本体１０の後記する左取り付け片部１４Ｌと右取り付け片部１４Ｒから水平に延びて頭部Ｈの両側頭部から後頭部を取り囲むヘッドバンド部２０により構成される。そして、ヘッドバンド部２０の左右両端部に形成された後記する差し込み係合部２２Ｌ、２２Ｒがフェイスシールド本体１０の左取り付け片部１４Ｌと右取り付け片部１４Ｒに形成した左バンド挿通部１７Ｌと右バンド挿通部１７Ｒに抜け止め可能に挿通され、所定の長さ位置に取り付けられる。
【００２６】
フェイスシールド本体１０とヘッドバンド部２０は、共に透明で弾性を有する樹脂材、例えばポリエチレンテレフタレート（ＰＥＴ）の薄いシート材、例えば０．４ｍｍ厚のシート材を用いて形成されている。
【００２７】
本実施形態において、フェイスシールド本体１０は、顔の前面を覆う本体面部１１が平面略矩形形状に形成されている。本体面部１１は、左右方向の中央部が前方に突出する湾曲面に形成されており、本実施形態ではヘッドバンド部２０が取り付けられる以前の状態で予め湾曲面としている。
【００２８】
フェイスシールド本体１０は、左右対称に形成され、湾曲した本体面部１１の上縁は左右方向の中央部分が二次曲線状に形成されていて、該二次曲線状の上縁で囲まれた切欠領域を中央切欠部１２とし、中央切欠部１２の左右上端から左右端にわたってそれぞれ水平に形成した左水平縁１３Ｌ、右水平縁１３Ｒを形成している。そして、左水平縁１３Ｌと右水平縁１３Ｒを有する上方に突出した左右端部をそれぞれ左取り付け片部１４Ｌと右取り付け片部１４Ｒとしている。
【００２９】
フェイスシールド本体１０は、図３に示すように、本体面部１１の中央切欠部１２の下死位置を上端とする庇部１５が水平に後方に向けて延びている。庇部１５の後縁１５ａは額の外縁に沿った湾曲に形成され、後縁１５ａの左右方向中央部には使用者の額に直接当接する額当接板部１６が下方に向けて形成されている。庇部１５の左右両端部は、本体面部１１の左右端の近傍まで延びているため、フェイスシールド１を頭Ｈに装着した状態で上方から唾などの飛沫が顔と本体面部１１との間に入り込むのを防ぐ。額当接板部１６が設けられている庇部１５の前後方向の長さ（幅）により、顔面が本体面部１１の内面に接触しない空隙が保持される。
【００３０】
庇部１５の左右方向両端部には、庇部１５の後縁１５ａから外方に向けて差し込み係合片部１５ｂがそれぞれ突出し、左取り付け片部１４Ｌと右取り付け片部１４Ｒに形成した後記する後スリット１７ｂの下方に差し込み係合片部１５ｂが係合する横スリット１７ｃが前後方向に沿って形成されている。左右の差し込み係合片部１５ｂが左右の横スリット１７ｃに係合することにより、湾曲した庇部１５の湾曲した前縁に沿って本体面部１１が所定の曲面に湾曲保持され、また庇部１５の上下方向のガタつきを防止する。
【００３１】
左取り付け片部１４Ｌと右取り付け片部１４Ｒには、バンド取り付け部である左バンド挿通部１７Ｌと右バンド挿通部１７Ｒが形成されている。左バンド挿通部１７Ｌと右バンド挿通部１７Ｒは、前後方向に間隔を有して配置した上下方向に延びる前スリット１７ａと、逆Ｌ字形状の後スリット１７ｂにより構成される。
【００３２】
ヘッドバンド部２０は、平面略Ｕ字形状に形成され、内周縁２０ａと外周縁２０ｂとの間に一定のバンド幅Ｗの帯面を有している。ヘッドバンド部２０は、左右の直線部２１Ｌ、２１Ｒの先端部にフェイスシールド本体１０との取り付け部の相手方となるバンド側取り付け部を構成する左差し込み係合部２２Ｌ、右差し込み係合部２２Ｒを形成している。本実施形態において、左差し込み係合部２２Ｌと右差し込み係合部２２Ｒは、帯面の両側に複数の係合爪２３を所定ピッチ（例えば５ｍｍ）で長さ方向に形成した係合爪部２４を設けている。バンド幅Ｗ方向で対向する一対の係合爪２３の根元部間の幅（根本幅とする）をＷ１とする。
【００３３】
左バンド挿通部１７Ｌと右バンド挿通部１７Ｒを形成する前スリット１７ａと後スリット１７ｂの上下方向に延びるスリット長をＳとすると、スリット長Ｓの長さは、根本幅Ｗ１よりも長くバンド幅Ｗ（両側の係合爪の先端間長さ）以下とし、スリットの上下端に係合爪２３を係合して後方への抜けを阻止している。勿論、Ｓ＝Ｗとしてもいる。図３に示すように、ヘッドバンド部２０の左差し込み係合部２２Ｌを左取り付け片部１４Ｌの表面側から左バンド挿通部１７Ｌの後スリット１７ｂを通して左取り付け片部１４Ｌの内面側に挿通し、さらに前スリット１７ａを通して左取り付け片部１４Ｌの表面側に出す。その際、バンド幅Ｗ方向の上下一対の係合爪２３のいずれかが前後のスリット１７ａ、１７ｂの上下方向のスリット端に係合し、左差し込み係合部２２Ｌが抜けることなくその係合位置に保持されて取り付けが完了する。右差し込み係合部２２Ｒと右バンド挿通部１７Ｒとの係合も同様に行われる。なお、後スリット１７ｂを逆Ｌ字形状に形成しているため、後スリット１７ｂの後側上端が大きく開き、左差し込み係合部２２Ｌを左バンド挿通部１７Ｌに容易に挿入することができる。この場合、前スリット１７ａの上下端を通過する際に上下の係合爪２３が弾性変形し、通過した係合爪２３が元に戻って係合爪２３が前スリット１７ａの上下端に係合する。
【００３４】
この係合状態を左差し込み係合部２２Ｌと左バンド挿通部１７Ｌを例にしてさらに説明する。ヘッドバンド部２０を頭部Ｈに水平に装着した状態において、ファイスシールド本体１０には自重により、左差し込み係合部２２の下側に形成される係合爪２３に対して前スリット１７ａの下端を支点として反時計回り方向に回転モーメントが付与される。この場合、前スリット１７ａのスリット上端が左差し込み係合部２２Ｌの上側に形成される係合爪２３に係合しているため抜けが防止される。さらに、後スリット１７ｂのスリット下端が左差し込み係合部２２Ｌの下側の係合爪２３に係合するため、フェイスシールド本体１０の反時計回り方向の回転が阻止される。したがって、フェイスシールド本体１０が自重で傾くことが防止される。係合爪２３と前スリット１７ａの係合位置を調節することにより、使用者の頭のサイズに合わせて適切な装着位置を位置決めすることができる。
【００３５】
本実施形態のフェイスシールド本体１０は、図２（ｃ）（ｄ）に示す未使用の展開状態において、本体面部１１に対して庇部１５がいわゆるミシン目で形成される折り曲げ線をなす破線で示す第１折り曲げ線部１８を介して連設され、庇部１５に対して額当接板部１６がいわゆるミシン目で形成される折り曲げ線をなす第２折り曲げ線部１９を介して連設される。なお、第１折り曲げ線部１８の両側に示す実線で示す符号１８ａの線は切り取り線で、庇部１５と本体面部１１とは切り離されている。
【００３６】
本実施形態において、フェイスシールド本体１０とヘッドバンド部２０は、図４（ａ）（ｂ）に示す未使用の展開状態において、ＰＥＴシート３０から打ち抜きにより形成している。このため、フェイスシールド本体１０は本体面部１１と庇部１５と額当接部１６が一体的に形成される。また、図４（ａ）（ｂ）に示すように、ＰＥＴシート３０はロール状のシートを使用し、矢印方向をシートが繰り出されるシート移動方向とする。フェイスシールド本体１０とヘッドバンド部２０の左右方向をＰＥＴシートの長尺方向（シート移動方向）として打ち抜き形成する。ロール状のＰＥＴシートは、ロールから繰り出された状態において、内側に湾曲する歪が残っている。このため、打ち抜き形成されたＰＥＴ製のフェイスシールド本体１０とヘッドバンド部２０は、左右方向に予め湾曲している。なお、ＰＥＴシート３０は薄いため、軽く押すと平坦状に変形する。
【００３７】
図３に示すように、フェイスシールド本体１０は、本体面部１１に対して庇部１５を第１折り曲げ線部１８を境にして内側に約９０度の角度まで折り曲げ、さらに額当接部１６を庇部１５に対して第２折り曲げ線部１９を境にして所定の角度、例えば約９０度の角度まで折り曲げる。額当接部１６を庇部１５に対して所定の角度まで折り曲げた状態において、第２折り曲げ線部１９は完全に塑性変形しておらず、弾性復元力が作用して９０度の角度よりも上方に向けて傾斜した状態に保持される。したがって、ヘッドバンド部２０を頭部Ｈに装着した際、額当接部１６が弾性力を有して使用者Ｐの額に当接する。このため、使用者Ｐの頭部Ｈとヘッドバンド部２０との間に適度な弾性力が付与されてヘッドバンド部２０が頭部Ｈからずりおちることが防止される。その際、ファイスシールド本体１０の素材がＰＥＴで板厚が薄いため、額当接部１６から生じる弾性力は頭部Ｈを強く締め付けることがない。したがって、頭部に痛みを生じさせることなく長時間の使用が可能となる。
【００３８】
また、本体面部１１は予め湾曲し、しかも弾性復元力を弱いため、庇部１５に設けた差し込み係合片部１５ｂに対して横スリット１７ｃの差し込み作業は容易に行え、また横スリット１７ｃを差し込み係合片部１５ｂに差し込んで係合しても左右の取り付け片部１４Ｌ、１４Ｒを外側に向けて開く方向に弾性復元力が作用することはない。したがって、ヘッドバンド部２０の左直線部２１Ｌと右直線部１Ｒの先端部の対向距離が開いてヘッドバンド部２０の頭部Ｈに対する装着力が弱まることはない。
【００３９】
ヘッドバンド部２０は、左右の直線部２１Ｌ、２１ＲがＵ字部２１Ｕに対して９０度の角度を捩じってフェイスシールド本体１０の左右の取り付け片部１４Ｌ、１４Ｒに取り付けられるため、板厚が薄くても左右の直線部２１Ｌ、２１Ｒの上下方向における曲げ剛性は高い。すなわち、ヘッドバンド部２０の後頭部を囲むＵ字部２１Ｕは帯面が上下方向と垂直な面に向き、側頭部に沿った左右の直線部２１Ｌ、２１Ｒは帯面が左右方向と垂直な面に向いている。
【００４０】
したがって、フェイスシールド本体１０を強固に保持することができる。また、Ｕ字部２１Ｕは左右の直線部２１Ｌ、２１Ｒを一体に連結する役割と、帯面が上下方向と垂直な面に向いた状態で使用者の後頭部に内周縁２０ａが当接し、額当接板部１６が使用者の額に当接して生じる弾性力の反力を受ける役割を果たす。その際、Ｕ字部２１Ｕの帯面が上下方向と垂直な面に向いているため、前後方向に対する剛性が高く、後方に向けての変形は殆ど生じない。したがって、額当接板部１６が使用者の額に当接して生じる装着力の減少が生じることはなく、ヘッドバンド部２０が頭部Ｈにずり落ちることなく装着される。
【００４１】
本実施形態のフェイスシールド本体１０は、例えば縦が約２５．５ｃｍ、横幅が約２３ｃｍの寸法に形成されてＡ４サイズ定型封筒に収納可能とすることができる。また、ヘッドバンド部２０は、例えば前後方向の長さを約２５．５ｃｍ、左右方向の幅を約１９．５ｃｍ、内周縁と外周縁との差でバンド幅を約２．５ｃｍの平面略Ｕ字形状に形成することができる。
【００４２】
フェイスシールド本体１０とヘッドバンド部２０をＰＥＴシート３０から上記した寸法で打ち抜いた状態において、一つのフェイスシールド本体１０と一つのヘッドバンド部２０の組み立て前の組み合わせを１セットのフェイスシールド１とする。図５（ａ）は、この１セットの組み合わせにおいて、フェイスシールド本体１０の上にヘッドバンド部２０を載せて袋４０に収納した状態を示す。図５（ｂ）に示すように、１セットのフェイスシールド１は厚みが薄く、全体的に平板状であるため、複数セットを重ねても嵩高にならない。
【００４３】
机の引き出しやサイドロッカー、書棚、鞄、ドキュメントファイル等はＡ４サイズの物を収納可能となっていることが多いため、１セットのフェイスシールド１をＡ４サイズとすることにより、多数セットのフェイスシールドの保管を容易に行える。また、配送も容易で安価に行える。
【００４４】
本実施形態において、ヘッドベルト部２０の両端部に対してフェイスシールド本体１０の左右の取り付け片部１４Ｌ、１４Ｒを取り付けるベルト取り付け手段として、一対の前後スリット１７ａ、１７ｂで構成される左右のバンド挿通部１７Ｌ、１７Ｒと、係合爪２３を有する左右の差し込み係合部２２Ｌ、２２Ｒで構成しているが、この構成に限定されるものではない。ベルト取り付け手段としては、ヘッドベルト部２０の左右の直線部２１Ｌ、２１Ｒの先端部とフェイスシールド本体１０の左右の取り付け片部１４Ｌ、１４Ｒとを例えば切起こした切起こし片と該切起こし片が係合するスリットとにより構成し、これを離れた２点位置に設けて長手方向および上下方向に緩みなく係合する構成とすると、別部材を用意せずにベルト取り付け手段を構成でき、また組み立て作業を容易に行える。
【符号の説明】
【００４５】
Ｐ：使用者      Ｈ：頭部      Ｗ：バンド幅      Ｗ１：根本幅      Ｓ：スリット長
１：フェイスシールド
１０：フェイスシールド本体      １１：本体面部      １２：中央切欠部
１３Ｌ：左水平縁      １３Ｒ：右水平縁      １４Ｌ：左取り付け片部
１４Ｒ：右取り付け片部      １５：庇部      １５ａ：後縁
１５ｂ：差し込み係合片部      １６：額当接板部      １７Ｌ：左バンド挿通部
１７Ｒ：右バンド挿通部      １７ａ：前スリット      １７ｂ：後スリット
１７ｃ：横スリット      １８：第１折り曲げ線部      １９：第２折り曲げ線部
２０：ヘッドバンド部      ２０ａ：内周縁      ２０ｂ：外周縁      ２０Ｕ：Ｕ字部
２１Ｌ、２１Ｒ：直線部      ２２Ｌ：左差し込み係合部
２２Ｒ：右差し込み係合部      ２３：係合爪      ２４：係合爪部
３０：ＰＥＴシート      ４０：袋
【図１】
0003227824.tif 000003
【図２】
0003227824.tif 000004
【図３】
0003227824.tif 000005
【図４】
0003227824.tif 000006
【図５】
0003227824.tif 000007
【手続補正書】
【提出日】令和2年6月9日(2020.6.9)
【手続補正１】
【補正対象書類名】実用新案登録請求の範囲
【補正対象項目名】全文
【補正方法】変更
【補正の内容】
【実用新案登録請求の範囲】
【請求項１】
弾性変形可能な透明樹脂シート製のフェイスシールド本体と、
頭部の回りに装着され、前記フェイスシールド本体に取り付けられて前記フェイスシールド本体を顔面の前方に保持する弾性変形可能な透明樹脂シート製の略Ｕ字形状に形成された帯状のヘッドバンド部と、を備え、
前記フェイスシールド本体は、左右方向の中央部が前方に向けて突出する湾曲面をなす平面略矩形形状の本体面部と、前記本体面部の上端から後方に延びる庇部と、前記庇部の後端から下方に向けて延び、使用者の額に当接する額当接板部とを有し、
前記ヘッドバンド部は、帯面が上下方向と垂直な面に向いている後頭部を囲むＵ字部と、前記Ｕ字部の左右両端からそれぞれ前方に向け延びていて帯面が左右方向と垂直な面に向いている側頭部に沿った左右の直線部とを有し、
前記左右の直線部の両前端部と前記本体面部の左右上端部にそれぞれ形成した取り付け部により長手方向の取り付け位置を調節可能に取り付けて前記ヘッドバンド部を前記フェイスシールド本体に取り付けることを特徴とするフェイスシールド。
【請求項２】
請求項１に記載のフェイスシールドにおいて、
前記フェイスシールド本体は、前記本体面部に対して前記庇部が折曲可能に一体的に形成され、前記庇部に対して前記額当接板部が折曲可能に一体的に形成されていることを特徴とするフェイスシールド。
【請求項３】
請求項１または２に記載のフェイスシールドにおいて、
前記フェイスシールド本体は予め左右方向の中央部が前方に向けて突出する湾曲面をなしていることを特徴とするフェイスシールド。
【請求項４】
請求項１から３のいずれかに記載のフェイスシールドにおいて、
前記ヘッドバンド部は、前後方向の全長が前記フェイスシールド本体の長手方向全長と略同じ長さであることを特徴とするフェイスシールド。
【請求項５】
請求項１から４のいずれかに記載のフェイスシールドにおいて、
前記本体面部の左右上端部にそれぞれ形成した取り付け部は、前後方向に隔設して形成されたスリットの間に形成した挿通部とし、前記ヘッドバンド部の左右の直線部に形成した取り付け部は、前記挿通部に差し込まれて前記スリットに係合する係合爪を前後方向に所定ピッチで複数備えた差し込み係合部とすることを特徴とするフェイスシールド。
【請求項６】
請求項２に記載のフェイスシールドにおけるフェイスシールド本体を展開した形態とした未使用のフェイスシールド本体と、請求項４または５に記載のフェイスシールドにおける未使用のヘッドバンド部とを上下に重ね合わせた組み合わせを１セットとしたことを特徴とするフェイスシールドセット。
【請求項７】
請求項６に記載のフェイスシールドセットにおいて、
前記１セットの組み合わせをなす重ね合わせされたフェイスシールド本体と前記ヘッドバンド部とを袋詰めしたことを特徴とするフェイスシールドセット。